(57)【要約】【課題】  無線タグが装着された物品の貸出し手続きに際しては、ホストコンピュータに貸出し手続き完了に関するデータを格納して、出口ゲートにてこの格納データを利用していたため、退出判定に時間を要していた。  【解決手段】  物品１２の貸出し手続きを行うに際し、無線タグ１０に貸出し手続き完了データを書込む手段１５と、出口ゲート２２に設置されたリーダライタ手段２３並びに退出可否判定手段２４であって、リーダライタ手段２３は、無線タグ１０に格納されている固有ＩＤデータ及び貸出し手続き完了データを読み出す手段であり、退出可否判定手段２４は、無線タグ１０から読み出されたデータに基づいて貸出し手続きが正規に行われたか否かを判定し、正規な手続きが判定された場合に出口ゲート２２からの利用者の退出を許可する信号を出力する手段であることを特徴とする物品貸出し管理システム。【選択図】  図１
2006268696.tif 000002
【特許請求の範囲】
【請求項１】
固有ＩＤデータが格納されている無線タグが装着された物品を所持する利用者が、前記物品の貸出し手続きを経て前記施設から出口ゲートを介して施設外へ退出する物品貸出し管理システムにおいて、
前記物品の貸出し手続きを行うに際し、前記無線タグに貸出し手続き完了データを書込む手段と、
前記出口ゲートに設置されたリーダライタ手段並びに退出可否判定手段であって、前記リーダライタ手段は、前記無線タグに格納されている前記固有ＩＤデータ及び貸出し手続き完了データを読み出す手段であり、前記退出可否判定手段は、前記無線タグから読み出されたデータに基づいて貸出し手続きが正規に行われたか否かを判定し、正規な手続きが判定された場合に前記出口ゲートからの前記利用者の退出を許可する信号を出力する手段であることを特徴とする物品貸出し管理システム。
【請求項２】
前記リーダライタ手段は、前記退出可否判定手段が正規な貸出し手続き完了の判定を行った場合に、前記無線タグに前記物品が貸出し中であることを示すデータを書込むことを特徴とする請求項１記載の物品貸出し管理システム。
【請求項３】
前記施設は図書館であり、前記物品は書籍であることを特徴とする請求項１または２に記載の物品貸出し管理システム。
【発明の詳細な説明】
【技術分野】
【０００１】
本発明は、図書館での書籍貸出し管理、レンタル店でのビデオテープ貸出し管理など、物品に無線タグを装着して管理する物品貸出し管理システムに関する。
【背景技術】
【０００２】
図書館やレンタルビデオ店などでは、大量の書籍やビデオテープの貸出、返却管理を効率的に行うべく、書籍やビデオテープに無線タグを装着して管理を行うことが実用化されている。例えば図書館を例に説明すると、閲覧対象として収蔵されている書籍には、内部にＩＣ、アンテナなどが格納されている無線タグが装着されている。無線タグには固有のＩＤデータが格納されており、個々の書籍毎の詳細データは無線タグ固有ＩＤデータに関連付けられて、館内に設置されているホストコンピュータのデータベースに格納されている。
【０００３】
利用者が所望の書籍の館外貸出しを希望する際には、書籍を貸出しカウンタへ持参して、館員が所持したり机上に設置されているリーダライタにより書籍の無線タグのＩＤデータを読取る。読取られたＩＤデータは、ホストコンピュータにて処理され、ホストコンピュータのデータベースの該当書籍に関するステータスデータを館内所蔵から貸出中へ変更する。
【０００４】
利用者が館内所蔵書籍を所持して出口ゲートを通過する際には、出口ゲートに設けられているリーダライタによって、書籍に装着されている無線タグのＩＤデータが読取られる。読取られたＩＤデータが正しく貸出しがなされているか否かをホストコンピュータへ照会し、貸出し手続が正規になされていることが確認されると、その信号を出口ゲートへ送信して、ゲートを開け利用者が出場することになる。もし、利用者が定められた貸出し手続を経ていない場合には、書籍に装着されている無線タグから読み出されたＩＤデータをホストコンピュータで照会の結果、出場が拒否される。（例えば特許文献１参照）
【特許文献１】特開２００４−１５１８２１号公報
【発明の開示】
【発明が解決しようとする課題】
【０００５】
上述したように、図書館の例によると、蔵書1冊ごとに装着されている無線タグを利用した管理システムにおいては、利用者が、館内所蔵書籍を所持して出口ゲートを通過しようとすると、出口ゲートのリーダライタが無線タグに格納されているＩＤデータを読取る。このＩＤデータを出口ゲート外に設置されているホストコンピュータにて照合して、正規の貸出し手続を完了しているか否かを判定し、この判定結果に基づいて出口ゲートの開閉を制御することになる。
【０００６】
しかしながら、出口ゲートからのＩＤデータの読出し、ホストコンピュータへの照合送信、ホストコンピュータでの照合処理、照合結果の出口ゲートへの送信という経過をたどることになる。この結果、利用者が出口ゲートへ到着してから通過可否の判定がなされるまでに多大の時間を要することになる。
【０００７】
本発明は、このような課題を解決するためになされたもので、簡単な構成で速やかな貸出し照合を可能とした物品貸出し管理システムを提供することを目的とする。
【課題を解決するための手段】
【０００８】
本発明に係わる物品貸出し管理システムは、固有ＩＤデータが格納されている無線タグが装着された物品を所持する利用者が、前記物品の貸出し手続きを経て前記施設から出口ゲートを介して施設外へ退出する物品貸出し管理システムにおいて、前記物品の貸出し手続きを行うに際し、前記無線タグに貸出し手続き完了データを書込む手段と、前記出口ゲートに設置されたリーダライタ手段並びに退出可否判定手段であって、前記リーダライタ手段は、前記無線タグに格納されている前記固有ＩＤデータ及び貸出し手続き完了データを読み出す手段であり、前記退出可否判定手段は、前記無線タグから読み出されたデータに基づいて貸出し手続きが正規に行われたか否かを判定し、正規な手続きが判定された場合に前記出口ゲートからの前記利用者の退出を許可する信号を出力する手段であることを特徴とする。
【発明の効果】
【０００９】
書籍などの物品を図書館などの施設外へ貸出しを行う場合、貸出し手続きデータを物品に装着されている無線タグに格納することにより、出口ゲートにおいて無線タグに格納されているデータを読み出すことで正規な手続きか否かを判定することが可能となった。この結果、利用者の出口ゲートにおける退出可否の判定に要する時間が短縮された。
【発明を実施するための最良の形態】
【００１０】
以下に本発明に係わる実施形態を、図書館を例に図を参照して説明する。図１は本発明の管理システムを示す構成図である。利用者１１が図書館蔵書の中から希望する書籍１２の館外貸出しを希望する場合、貸出し管理部１３にて必要な手続を行わなければならない。貸出し管理部１３の貸出しカウンタ１４にはリーダライタ１５が設置されている。
【００１１】
図書館蔵書の書籍1冊ごとには無線タグ１０が装着されている。無線タグ１０についてはすでに多くの分野で利用されており、ここでその詳細な説明は省略するが、ＩＣチップ、アンテナなどから構成されており、内部に無線タグ固有のＩＤデータが格納されている。そして、外部のリーダライタとの間で電波により通信を行う機能を有するものである。
【００１２】
利用者１１が、無線タグ１０が装着された書籍１２を所持して貸出しカウンタ１４に立ち寄ると、無線タグ１０内部に格納されている無線タグ固有ＩＤデータが貸出しリーダライタ１５によって読取られる。貸出しリーダライタ１５にて読取られたＩＤデータはホストコンピュータ１６へ伝送される。ホストコンピュータ１６には制御部１６ａ、並びにデータベース１６ｂを有しており、データベース１６ｂには図書館に蔵書されている書籍ごとの無線タグ固有ＩＤデータ、図書登録固有ＩＤデータ、図書分類データ、書誌データ、貸出しデータ、貸出し判別データなどが相互に関連付けられて格納されている。貸出しデータとしては、貸出し日時、貸出し先の利用者固有の登録データなどが代表的なデータとなる。貸出し判別データとしては、数字コードによって示されており、貸出し未登録が０、貸出し登録済が１などである。
【００１３】
このようにしてホストコンピュータ１６の制御部１６ａを介してのデータベース１６ｂの該当するデータ更新が行われる。その後、書籍１２に装着されている無線タグ１０には、ホストコンピュータ１６から貸出し手続完了に伴う新たなデータが書き込まれる。すなわち、図２に無線タグ１０内に格納されるデータ構造を示してあるが、無線タグ１０には、元々格納されている無線タグ固有ＩＤデータ１７に加えて、貸出しを受けた書籍固有の図書登録固有ＩＤデータ１８、それに貸出しデータ１９、貸出し判別データ２５が格納される。この無線タグ１０へのホストコンピュータ１６からのデータ書き込みは、貸出しカウンタ１４に設置されている貸出しリーダライタ１５によって行われる。
【００１４】
以上のように貸出し手続が完了した利用者１１は、書籍１２を所持して出口部２０へ来ることになる。出口部２０には開閉ゲート２１を有する出口ゲート２２が設置されており、図書館を利用した全ての利用者は、書籍所持の有無に係わらずこの出口ゲート２２を通過しなければならない。利用者が図書館所蔵の書籍１２を所持して出口ゲート２２を通過するに際しては、書籍１２に装着している無線タグ１０と出口ゲート２２に設けられた出口リーダライタ２３との間で通信が行われる。
【００１５】
出口リーダライタ２３は、無線タグ１０に貸出し管理部１３にて書き込まれたデータを含め、無線タグ１０内に格納されている各種データを読取る。そして、出口リーダライタ２３で読取られた各種データは退館可否判定部２４に入力される。退館可否判定部２４では、図２示した無線タグ１０内に格納されている貸出しデータ１９などから正規の貸出し手続きが完了しているか否かをチェックする。適正に貸出し手続きが完了していると判断された場合には、退館可の判定を行いゲート開閉制御部２６へ開閉ゲート２１を開ける指令信号を送り、開閉ゲート２１を通過して利用者１１は退館することができる。
【００１６】
このようにして、利用者１１が所持する書籍１２に装着されている無線タグ１０内に、貸出し管理部１３にて貸出しデータ１９などの貸出し手続きに伴う各種データを書き込んだことによって、ホストコンピュータ１６への照会を必要とせず、出口部２０のみで退館可否の判定を行うことが可能となった。すなわち、無線タグ１０に貸出し手続きデータを格納し、出口ゲート２２に退館可否判定部２４を設けたことによって、出口部２０のみで退館判定が可能となり、退館可否に要する時間を短縮することが可能となった。
【００１７】
なお、上述した例では出口リーダライタ２３では無線タグ１０からデータの読取りを行うのみであったが、退館可否判定部２４にて適正な貸出し手続き完了を確認した段階で、出口リーダライタ２３から無線タグ１０内へ、図２に示した貸出し判別データ２５を更新したデータの書込みを行うことも可能である。この貸出し判別データ２５としては、すでに無線タグ１０に格納されている貸出し登録済１のデータを、出口ゲート２２から退館した状態であることを示す貸出し中である数字コード２に更新される。
【００１８】
なお、図３に本発明の実施形態の動作ステップをフローチャートを参照して説明する。利用者が図書館内で貸出しを希望する書籍が決定されると（Ｓｔｅｐ１）、利用者は貸出し部へ無線タグが装着された書籍を持参する。貸出し部では貸出し登録が行われ（Ｓｔｅｐ２）、各種の貸出し登録データが無線タグに書き込まれる（Ｓｔｅｐ３）。貸出し登録を完了した利用者は出口ゲートを通過すべく出口部へ到着する（Ｓｔｅｐ４）。出口ゲートでは退館可否判定が行われ適正と判定された場合には無線タグ内の貸出し判別データを更新する（Ｓｔｅｐ５）とともに、出口ゲートを開け利用者の退館を可能とする（Ｓｔｅｐ６）。退館可否判定にて適正な貸出し手続きが完了していないと判定された場合には、出口ゲートは閉じた状態のままで、再度貸出し手続きを促す。
【００１９】
以上の本発明の実施形態は、図書館での館外貸出し管理を例になされたが、他にレンタルビデオ店など、無線タグが装着された物品を施設外へ貸出すにあたり貸出しに伴うデータ登録、出口ゲートでの退場可否の判定を行う必要があるシステムに広く適用可能である。
【図面の簡単な説明】
【００２０】
【図１】本発明の実施形態を示すシステム構成図。
【図２】本発明の実施形態を説明するためのデータ構成図。
【図３】本発明の実施形態の動作を説明するためのフローチャート。
【符号の説明】
【００２１】
１０…無線タグ、１１…利用者、１２…書籍、１３…貸出し管理部、１４…貸出しカウンタ、１５…リーダライタ、１６…ホストコンピュータ、１６ａ…制御部、１６ｂ…データベース、１７…無線タグ固有ＩＤデータ、１８…図書登録固有ＩＤデータ、１９…貸出しデータ、２０…出口部、２１…開閉ゲート、２２…出口ゲート、２３…出口リーダライタ、２４…退館可否判定部、２５…貸出し判別データ、２６…ゲート開閉制御部。
【図１】
2006268696.tif 000003
【図２】
2006268696.tif 000004
【図３】
2006268696.tif 000005